(57)【特許請求の範囲】
【請求項１】
パネルに貫設される光アダプタであって、
光ケーブルの端部に設けられたプラグを着脱自在に嵌合させることができるプラグ嵌合部を有する導電性のハウジングと、
前記プラグの嵌合方向に沿って前記導電性ハウジングの内部に圧入される絶縁体と、を備え、
前記導電性ハウジングは、前記プラグ嵌合部の中央部分に、前記プラグ嵌合部を分割する導電性の中間壁を前記プラグ嵌合方向に直行する方向に有しており、
前記絶縁体は、その中央付近に、前記中間壁の開口を貫通した状態で配置される割スリーブ収納部を有し、更に、その両端付近から前記プラグ嵌合方向に沿って前記割スリーブ収納部に向かってそれぞれ対向して延びる少なくとも一組の片持ち梁状のプラグロック片を有することを特徴とする光アダプタ。
【請求項２】
前記ハウジングに導通可能に設けられた導電性のパネル取付部材を有し、該パネル取付部材は前記パネルのグランド面に導通可能に形成されている請求項１に記載の光アダプタ。
【発明の詳細な説明】
【０００１】
【発明の属する技術分野】
本発明は、光ケーブルを中継するために用いられる光コネクタを構成するアダプタに関する。
【０００２】
【従来の技術】
近年、光ケーブルを使用した光通信システムの急速な普及に伴い、該光通信システムを構成する各通信機器等から周囲に放射される電磁波が問題視されてきており、光ケーブル相互間、又は光ケーブルと他の光デバイスとの間の接続を行なう光コネクタに対しても電磁波の漏洩対策に関する要望が高まってきている。
【０００３】
一般に、光コネクタは光ケーブル端部に接続されるプラグと、該プラグを着脱可能に整列保持するアダプタとから成り、前記光コネクタに電磁波の漏洩対策を施した例として、特開平１０−３９１７０号公報に開示されているものがある。この光コネクタは、図１２に示すように、アダプタ１を構成する導電性ハウジング２ａ，２ｂを接地ばね（図示せず）を介してパネル３の表面のグランド面４に接続し、前記ハウジング２ａ，２ｂに導電性プラグ５を装着すると、前記アダプタ１が前記グランド面４と接触し、前記グランド面４、ハウジング２ａ，２ｂがそれぞれ電気的に接続された状態となり、その結果、電磁波の漏洩、侵入を防止しようとするものである。
【０００４】
【発明が解決しようとする課題】
しかし、上記した特開平１０−３９１７０号公報に開示されている光コネクタを、複数のプラグ嵌合部を有する光コネクタに使用した場合、アダプタに接続された各プラグ間に隙間が生じ、その隙間を介して、電磁波がアダプタ内部から外部に漏洩することにより他の電子機器等に悪影響を及ぼしたり、或いは、逆に外部からアダプタ内部に電磁波が侵入することにより通信障害が発生するといった問題があった。
【０００５】
そこで、本発明は、以上の点に鑑み、複数のプラグがアダプタに接続される場合でも、確実に電磁波の漏洩を低減することが可能な光アダプタを提供するものである。
【０００６】
【課題を解決するための手段】
本発明は、パネルに貫設される光アダプタであって、光ケーブルの端部に設けられたプラグを着脱自在に嵌合させることができるプラグ嵌合部を有する導電性のハウジングと、前記プラグの嵌合方向に沿って前記導電性ハウジングの内部に圧入される絶縁体と、を備え、前記導電性ハウジングは、前記プラグ嵌合部の中央部分に、前記プラグ嵌合部を分割する導電性の中間壁を前記プラグ嵌合方向に直行する方向に有しており、前記絶縁体は、その中央付近に、前記中間壁の開口を貫通した状態で配置される割スリーブ収納部を有し、更に、その両端付近から前記プラグ嵌合方向に沿って前記割スリーブ収納部に向かってそれぞれ対向して延びる少なくとも一組の片持ち梁状のプラグロック片を有することを特徴とする。
【０００８】
好ましくは、前記ハウジングに導通可能に設けられた導電性のパネル取付部材を有し、該パネル取付部材は前記パネルのグランド面に導通可能に形成されている。
【０００９】
このような構成により、前記ハウジングは前記パネル取付部材を介して前記パネルのグランド面と導通し、しかも、前記プラグ嵌合部間には前記隔壁が設けられ、前記中間壁により前記プラグ嵌合部内部の開口領域が減少されているので、電磁波の漏洩、侵入を低減することができる。
【００１０】
【発明の実施の形態】
以下、図面を参照しつつ、本発明の実施の形態を説明する。
本実施の形態に係る光コネクタは、光ケーブルの端部に設けられるプラグと、該プラグが接続されるアダプタとから構成されている。
【００１１】
図１は本発明の実施の形態におけるプラグ、例えば、２心のプラグ１１の断面図であり、該プラグ１１は光ケーブルの心線端部（図示せず）を収容可能なフェルール１２と、該フェルール１２を先端方向へ付勢するバネ１３と、前記フェルール１２及びバネ１３を収容するハウジング１４とを備え、該ハウジング１４の両側には係止部１５が突設されている。
【００１２】
図２から図５は本発明の実施の形態におけるアダプタ１６の一例を示している。該アダプタ１６は、導電性材料、例えば、ダイカスト製のハウジング１７と、該ハウジング１７の内部に圧入された絶縁体１８と、絶縁材料製の割スリーブ収納キャップ１９と、該割スリーブキャップ１９内に収容される円筒形状の金属製割スリーブ２０とから構成されている。図８から図１１はダイカスト製の前記ハウジング１７を示しており、該ハウジング１７内は隔壁２１により仕切られ、前記プラグ１１が着脱可能なプラグ嵌合部２２が複数（図示では４箇所）階段状に並設されている。前記隔壁２１は導電性材料、例えば、ダイカスト製で、前記ハウジング１７と一体成形されているのが好ましく、前記ハウジング１７と導通可能に連続的に形成されてもよい。前記プラグ嵌合部２２の中央部分には、該プラグ嵌合部２２を分割する導電性の中間壁２９が前記隔壁２１に直交する方向に形成され、該中間壁２９は、好ましくは、前記ハウジング１７と一体成形されている。また、前記ハウジング１７の外面には前記隔壁２１、すなわち、前記プラグ嵌合部２２への前記プラグ１１の着脱方向との内角が一定角度、例えば、４５°を成すようにフランジ部２３が形成され、該フランジ部２３に近接して係合孔４２が穿設されている。さらに、前記ハウジング１７の少なくとも１端部は内側に折返され、折返し部４０は前記絶縁体の端部４１を包被している。
【００１３】
前記各プラグ嵌合部２２内の前記絶縁体１８にはそれぞれ２個で１組のプラグロック片２４が２組ずつ対向して形成されている。該プラグロック片２４は前記プラグ１１の挿入方向に延びる片持ち梁状を成し、前記プラグロック片２４の先端部には内側に突出した係止部２５が形成されている。前記絶縁体１８の外面中央部分には、楔状に形成された突起部４３が形成され、該突起部４３は前記係合孔４２に係合し、前記端部４１と相俟って、前記絶縁体１８が前記ハウジング１７から脱落するのを防止するようになっている。前記各プラグ嵌合部２２内の前記絶縁体１８の中央付近には、前記中間壁２９を貫通して円筒状の割スリーブ収納部２６がそれぞれ２個づつ並列に設けられ、該割スリーブ収納部２６の先端部には内側に隆起した抜け止め部２７が形成されている。また、前記割スリーブ収納キャップ１９は前記割スリーブ収納部２６に対応して設けられ、前記割スリーブ収納キャップ１９の先端部には前記抜け止め部２７と同様に抜け止め部２８が形成されている。したがって、前記各プラグ嵌合部２２内には２心の前記プラグ１１が着脱可能であり、前記プラグ嵌合部２２内に前記プラグ１１が挿入されると、前記割スリーブ収納キャップ１９と前記割スリーブ収納部２６により、前記割スリーブ２０が前記各抜け止め部２７，２８間でガタを持たせて保持されるようになっている。
【００１４】
また、前記ハウジング１７の外面には導電性材料製、例えば、金属製のパネル取付部材３０が前記ハウジング１７と導通可能に設けられている。前記パネル取付部材３０の各側面３１，３２にはそれぞれ前記フランジ部２３の内面に沿って２個ずつパネル受け片３０が形成され、該各パネル受け片３３の先端部３４は反フランジ部側に屈曲し片持ち梁状を成している。また、前記パネル取付部材３３には前記各パネル受け片３３の先端部３４に近接する位置にそれぞれアダプタロック片３５が形成され、該各アダプタロック片３５は先端部３６が前記パネル受け片３３の先端部３４に対向するように外側に屈曲し片持ち梁状に形成されている。
【００１５】
前記アダプタ１６をパネル３７に取付ける場合、図２に示すように、前記アダプタロック片３５の基端側から前記アダプタ１６を前記パネル３７の開口部３８に挿入する。前記アダプタロック片３５は前記開口部３８の周縁部に押され内側に弾性変形し、前記開口部３８の周縁部が前記アダプタロック片３５を乗り越えると、該アダプタロック片３５はその弾性力により元の状態に戻る。その結果、前記開口部３８の周縁部は前記パネル受け片３３と前記アダプタロック片３５の両先端部３４，３６とで挟持され、前記パネル受け片３３の弾性力により前記アダプタ１６は前記パネル３７に固定される。この時、前記パネル受け片３３の先端部３４は前記パネル３７のグランド面（図示せず）と接触し、前記パネル取付部材３０と前記パネル３７のグランド面は導通状態となる。また、前記プラグ嵌合部２２は前記フランジ部２３に対して４５°傾斜しているので、前記アダプタ１６は前記パネル３７に対して４５°傾斜した状態で固定される。
【００１６】
前記パネル３７に固定された状態の前記アダプタ１６の各プラグ嵌合部２２に両側から多数本（この場合は８本）の前記２心プラグ１１を挿入すると、前記各係止部２５が前記プラグ側係止部１５に当接することにより、前記プラグロック片２４は外側に弾性変形し、その後、該プラグロック片２４はその弾性力により元の状態に戻り、前記係止部２５が前記プラグ側係止部１５に係止する。この結果、前記各２心プラグ１１は前記各プラグ嵌合部２２内にそれぞれロックされ、また、前記各２心プラグ１１のフェルール１２はそれぞれ前記割スリーブ２０内に挿入、整列保持され、互いに衝合した状態となる。この時、前記ハウジング１７は前記パネル取付部材３０を介して前記パネル３７のグランド面と導通しているため、電磁波が漏洩、侵入するのを防止することができる。また、前記各プラグ嵌合部２２間に前記隔壁２１が設けられたことにより、前記各プラグ嵌合部２２相互間の電磁波の移動が遮断される。さらに、図９〜図１１に示すように、前記中間壁２９により前記プラグ嵌合部２２内部の開口領域Ｓが減少するため、電磁波の漏洩、侵入を効果的に防止することができる。
【００１７】
なお、上記実施の形態においては、前記アダプタ１６は前記パネル３７に対して傾斜した状態で取付けられるように階段状に形成されているが、本発明は、図６〜図１１に示されているように、前記パネル３７に正対して取付けられる等他の形状のアダプタに対しても適用可能である。
【００１８】
また、前記中間壁２９は、前記ハウジング１７と一体成形せずに別体とし、前記ハウジング１７及び隔壁２１に接触するように前記プラグ嵌合部２２内にシールド板を挿入することにより形成させてもよい。
【００１９】
さらに、図８に示すように、前記ハウジング１７は金属製の前記パネル取付部材３０を設けることなく、前記パネル３７に直接、ネジ等により固定することもできる。
【００２０】
さらにまた、前記プラグ嵌合部２２は前記２心プラグ１１が着脱可能なように形成されているが、単心プラグが着脱可能なように形成されていてもよい。
【００２１】
【発明の効果】
以上述べた如く本発明によれば、前記プラグ嵌合部間には前記隔壁が設けられ、また、前記中間壁により前記プラグ嵌合部内部の開口領域が減少されているので、電磁波の漏洩、侵入を低減することができる。
【図面の簡単な説明】
【図１】本発明の実施の形態におけるプラグを示す断面図である。
【図２】本発明の実施の形態に係るアダプタを示す側面図である。
【図３】図２のＡ矢視図である。
【図４】図２のＢ−Ｂ断面図である。
【図５】図３のＣ−Ｃ断面図である。
【図６】本発明の実施の形態に係るアダプタの他の例を示す側面図である。
【図７】図７のＤ矢視図である。
【図８】本発明の実施の形態におけるハウジングを示す側面図である。
【図９】図８のＥ矢視図である。
【図１０】図８のＦ−Ｆ断面図である。
【図１１】図９のＧ−Ｇ断面図である。
【図１２】従来例を示す斜視図である。
【符号の説明】
１１          プラグ
１６          アダプタ
１７          ハウジング
２１          隔壁
２２          プラグ嵌合部
２９          中間壁
３０          パネル取付部材
３３          パネル受け片
３７          パネル
【図１】
0003769178.tif 000002
【図２】
0003769178.tif 000003
【図３】
0003769178.tif 000004
【図４】
0003769178.tif 000005
【図５】
0003769178.tif 000006
【図６】
0003769178.tif 000007
【図７】
0003769178.tif 000008
【図８】
0003769178.tif 000009
【図９】
0003769178.tif 000010
【図１０】
0003769178.tif 000011
【図１１】
0003769178.tif 000012
【図１２】
0003769178.tif 000013